(57)【要約】【課題】マルチスクリーンディスプレイ装置は、大画面使用が多いので複数枚隣接するスクリーン間の継ぎ目部に生じる隙間を限りなく小さくしないと映像の画質品位を損なわせる原因となる。また、スクリーンは高低温・多湿等の環境変化により伸縮するので、その伸縮分を吸収させる構造が必要であるという課題があった。【解決手段】スクリーン１を複数枚隣接させて大画面とするために、スクリーン１を構成するレンチキュラーレンズ１１とフレネルレンズ１２の端面にそれぞれ材質Ａのシート材１３と材質Ｂのシート材１４を接着固定し保持をすることで継ぎ目の隙間を最小にする。また、その材質Ａのシート材１３を取付枠１５に固定する際、スライド金具２２と応力に対し追従する両面テープ４１で接着固定することにより、高低温・多湿等の環境変化によるスクリーン１の伸縮を吸収する装置を設けたマルチスクリーンディスプレイ装置。【選択図】図３
2007127924.tif 000002
【特許請求の範囲】
【請求項１】
プロジェクターからの映像が背面から投射されるスクリーンを複数枚隣接配置して成るマルチスクリーンによって１つの大画面を表示するマルチスクリーンディスプレイ装置において、前記スクリーンの端面に、薄肉で弾性率の高い性質を有するシート材を接着固定したことを特徴とするマルチスクリーンディスプレイ装置。
【請求項２】
前記シート材は、応力が発生する可能性が高い部位毎に突起形状を施したことを特徴とする請求項１記載のマルチスクリーンディスプレイ装置。
【請求項３】
前記スクリーンを保持する取付枠と前記シート材の突起形状部分とを金具を介して連結固定する構造にしたことを特徴とする請求項２記載のマルチスクリーンディスプレイ装置。
【請求項４】
前記シート材と前記金具とを、応力に対し追従する性質を有する接着部材で固定したことを特徴とする請求項３記載のマルチスクリーンディスプレイ装置。
【請求項５】
前記金具の連結固定部をスライド構造にし、環境変化により発生する応力を前記スライド構造の連結固定部で吸収させることを特徴とする請求項３または請求項４記載のマルチスクリーンディスプレイ装置。
【発明の詳細な説明】
【技術分野】
【０００１】
本発明は、プロジェクターからの映像が背面から投射されるスクリーンを複数枚隣接配置して成るマルチスクリーンによって１つの大画面を表示可能にしたマルチスクリーンディスプレイ装置に関するものである。
【背景技術】
【０００２】
従来、背面投射型プロジェクターとスクリーンが、一体となった装置を複数隣接させて配置し、１つの大画面を表示するマルチスクリーンディスプレイ装置が多く利用されている。ここで問題となるのが隣接させたときのスクリーン間の継ぎ目に生じる目地の大きさで、目地が大きいと必要な映像情報の欠落などによる映像の品位を損なわせることである。
【０００３】
また、高温・多湿等の環境変化によりスクリーンは伸縮し、スクリーンが膨張した場合はスクリーンが凸方向に変形し、スクリーンが縮んだ場合はスクリーン間の隙間が広がるので、投射映像の画質品位や外観品位を損なわせるという構造的な欠点があった。
【０００４】
このため、従来のマルチスクリーンディスプレイ装置は、隣接するスクリーン間の継ぎ目に生じる目地を細くするための構造や、環境変化によりスクリーンが膨張・収縮しても問題が発生しない構造を持たせている。（例えば、特許文献１参照。）
図４は、前記特許文献１に記載された従来のマルチスクリーンディスプレイ装置のスクリーンの外観図を示すものである。図４において、スクリーン１は、左辺スクリーン保持部３１、底辺スクリーン保持部３２、右辺スクリーン保持部３３、上辺スクリーン保持部３４により保持され、取付枠３５に固定されている。
【０００５】
図５は図４に示している切断線Ｂ−Ｂで切断した断面図で、スクリーン１の内部構造を示す図である。スクリーン１を構成しているレンチキュラーレンズ１１とフレネルレンズ１２の端面は、左辺スクリーン保持部３１、底辺スクリーン保持部３２、右辺スクリーン保持部３３、上辺スクリーン保持部３４の各保持部に、両面粘着テープ４１で固定されている。また、スクリーン１が前方方向に脱落するのを防ぐために、左辺スクリーン保持部３１、底辺スクリーン保持部３２、右辺スクリーン保持部３３、上辺スクリーン保持部３４の各保持部には曲げ加工が施されている。これにより、温度変化によってスクリーン１が伸縮しても外れ落ちるというトラブルを防止している。
【特許文献１】特開平６−３１７８４９号公報
【発明の開示】
【発明が解決しようとする課題】
【０００６】
前記従来のマルチスクリーンディスプレイ装置のスクリーンの構成では、温度変化によるスクリーン１の伸縮により、スクリーン１が脱落するのを防ぐために、左辺スクリーン保持部３１、底辺スクリーン保持部３２、右辺スクリーン保持部３３、上辺スクリーン保持部３４の各スクリーン保持部を曲げ加工している。そのせいで、図５に示すように目地４２が存在することになる。そのため、プロジェクターから投射された映像が映らない部分が存在し、外観品位を損なわせるという課題を有していた。また、従来のマルチスクリーンディスプレイ装置の各スクリーンサイズは約４０型相当のものが多く、大画面を構成する際には、多行多列に配列させなければならず、初期費用ならびにメンテナンス費用が多く発生し、ユーザーに対し多大な負担をかけるという課題を有していた。
【０００７】
本発明は、前記課題を解決するもので、隣接するスクリーン間の目地を従来より細くすることで映像品位を向上させるとともに、マルチスクリーンディスプレイ装置の各スクリーンサイズを大きくすることができることでコストダウンを図れ、また高温・多湿等の環境変化によりスクリーンが伸縮しても脱落することのない、という信頼性の高いマルチスクリーンディスプレイ装置を提供することを目的とする。
【課題を解決するための手段】
【０００８】
前記従来の課題を解決するために、本願請求項１記載の発明は、プロジェクターからの映像が背面から投射されるスクリーンを複数枚隣接配置して成るマルチスクリーンによって１つの大画面を表示するマルチスクリーンディスプレイ装置において、前記スクリーンの端面に、薄肉で弾性率の高い性質を有するシート材を接着固定したことを特徴とするマルチスクリーンディスプレイ装置である。
【０００９】
請求項２記載の発明は、前記シート材は、応力が発生する可能性が高い部位毎に突起形状を施したことを特徴とする請求項１記載のマルチスクリーンディスプレイ装置である。
【００１０】
また、請求項３記載の発明は、前記スクリーンを保持する取付枠と前記シート材の突起形状部分とを金具を介して連結固定する構造にしたことを特徴とする請求項２記載のマルチスクリーンディスプレイ装置である。
【００１１】
また、請求項４記載の発明は、前記シート材と前記金具とを、応力に対し追従する性質を有する接着部材で固定したことを特徴とする請求項３記載のマルチスクリーンディスプレイ装置である。
【００１２】
また、請求項５記載の発明は、前記金具の連結固定部をスライド構造にし、環境変化により発生する応力を前記スライド構造の連結固定部で吸収させることを特徴とする請求項３または請求項４記載のマルチスクリーンディスプレイ装置である。
【発明の効果】
【００１３】
請求項１記載のマルチスクリーンディスプレイ装置では、隣接するスクリーン間の継ぎ目部分を従来より細くすることができる。また、請求項２、３、４記載のマルチスクリーンディスプレイ装置では、高温・多湿等の環境変化によるスクリーンの伸縮を吸収させることができる。
【００１４】
このように、本発明のマルチスクリーンディスプレイ装置では、投射映像の画質品位や外観品位を向上させることができる。
【発明を実施するための最良の形態】
【００１５】
以下に、本発明を実施するための最良の形態について、図面を参照しながら説明する。
【００１６】
（実施の形態１）
使用するスクリーンは性能・特性により異なるが、実施の形態１では２枚構成のスクリーンを使用したマルチスクリーンディスプレイ装置について説明する。
【００１７】
図１は、本発明の実施の形態１におけるマルチスクリーンディスプレイ装置のスクリーンの外観図である。図２はそのスクリーンの構成を、正面斜視図および背面斜視図で示している。
【００１８】
図１および図２に示すように、スクリーン１は、レンチキュラーレンズ１１とフレネルレンズ１２の２枚を張り合わせて構成されている。材質Ａのシート材１３は、レンチキュラーレンズ１１の全周端面に固定されて、取付枠１５に固定されている。材質Ｂのシート材１４は、フレネルレンズ１２の全周端面に固定されて、取付枠１５に固定されている。
【００１９】
ここで、材質Ａのシート材１３および材質Ｂのシート材１４は、薄肉で弾性率の高い性質を有し、且つ材質Ａのシート材１３は、応力が発生する可能性が高い部位毎に突起形状を施している。なお、材質Ａのシート材１３および材質Ｂのシート材１４の材質Ａと材質Ｂは、必ずしも異なる必要はなく、同じであっても構わない。
【００２０】
図1、図2に示す構造をもつスクリーンを上下左右に配置したマルチスクリーンディスプレイ装置では、各スクリーン間の隙間を従来より細くすることが可能となる。
【００２１】
（実施の形態２）
本発明の実施の形態２では、高温・多湿などの環境変化による、スクリーンの膨張・収縮を吸収する固定手段を備えており、図３はその固定手段の構造を示している。
【００２２】
図３は、図１のスクリーン１の端面の一部分を示した図であり、図２で説明した材質Ａのシート材１３と材質Ｂのシート材１４と取付枠１５の連結固定部を拡大図で示したものである。
【００２３】
図３において、フレネルレンズ１２の全周端面に接着固定された材質Ｂのシート材１４は取付枠１５に連結固定することで、フレネルレンズ１２は取付枠１５に保持される。次に、レンチキュラーレンズ１１の全周端面に接着固定された材質Ａのシート材１３の突起形状部は、取付枠１５に連結固定する際、長孔を施してスライド構造を持たせたスライド金具２２に両面テープ２３にて貼り付け固定されている。そして、取付枠１５にあらかじめ固定されている固定金具２１とスライド金具２２の長孔外側とをビス２４及びカラー２５で締め付けている。
【００２４】
環境変化によりスクリーン１が伸縮して、レンチキュラーレンズ１１が脱落するのを防止する構造として、スライド金具２２の固定位置を長孔の外側にして動かないように保持している。スクリーンの収縮分は、応力に対し追従する性質を有する両面テープ２３を使用することにより、レンチキュラーレンズ１１と材質Ａのシート材１３の固定部分を保護している。
【００２５】
また、スクリーン１が膨張して、鑑賞側にスクリーンが膨らんでくるのを防止する構造として、固定金具２１と長孔を施したスライド金具２２との連結において、カラー２５を挟んでビス２４で固定することにより、スライド金具２２は完全には固定されず、スクリーンの膨張分をスライドする構造で吸収させている。
【産業上の利用可能性】
【００２６】
本発明にかかるマルチスクリーンディスプレイ装置は、スクリーンを複数枚隣接させて配置することにおいて、従来よりスクリーン間の隙間を細くすることができる。また、スクリーンと取付枠との固定手段として、応力に対し追従する性質を有する両面テープでの接着固定、及びスライド構造を持つ金具を用いることにより、高温・多湿などの環境変化によるスクリーンの膨張・収縮を吸収させることができ、そのことにより、画面サイズを従来の２倍にすることも出来るのでコストダウンを可能としている。
【００２７】
したがって、プロジェクターからの投射映像の画質品位や外観品位を向上させることができる。また、材質Ａのシート材、材質Ｂのシート材により、隣接するプロジェクターからの光源を遮ることができ、隣接映像による干渉を防ぐことも可能である。
【００２８】
本願発明は、プロジェクターからの映像が背面から投射されるスクリーンを複数毎隣接配置して成るマルチスクリーンによって１つの大画面を表示可能にするマルチスクリーンディスプレイ装置に関して、スクリーン間の隙間（目地）を細くする構造を実現し有用である。
【図面の簡単な説明】
【００２９】
【図１】本発明の実施の形態１におけるマルチスクリーンディスプレイ装置のスクリーンの外観図
【図２】本発明の実施の形態１におけるマルチスクリーンディスプレイ装置のスクリーンの構成を示す斜視図
【図３】本発明の実施の形態２における固定手段の構造を示す図
【図４】従来のマルチスクリーンディスプレイ装置のスクリーンの外観図
【図５】従来のマルチスクリーンディスプレイ装置のスクリーンの内部構造図
【符号の説明】
【００３０】
１  スクリーン
１１  レンチキュラーレンズ
１２  フレネルレンズ
１３  材質Ａのシート材
１４  材質Ｂのシート材
１５  取付枠
２１  固定金具
２２  スライド金具
２３  両面テープ
２４  ビス
２５  カラー
３１  左辺スクリーン保持部
３２  底辺スクリーン保持部
３３  右辺スクリーン保持部
３４  上辺スクリーン保持部
３５  取付枠
４１  両面テープ
４２  目地
【図１】
2007127924.tif 000003
【図２】
2007127924.tif 000004
【図３】
2007127924.tif 000005
【図４】
2007127924.tif 000006
【図５】
2007127924.tif 000007